(57)【要約】【課題】装置を小型化して、用紙の分離性能を向上させる給紙装置を提供することを目的とする。【解決手段】紙幅ガイド１６および分離爪４に、紙幅ガイド１６を取り付けたときに互いに当接し、分離爪４のガイド幅を幅狭となる方向に移動させる連動手段を設けた給紙装置１としたものであり、紙幅ガイド１６の位置に合わせて分離爪４を配置し、用紙の両側端をガイドするとともに、両先端に分離爪４を当接可能に配置し、用紙の分離性能を向上させることができる。【選択図】図２
2005047687.tif 000002
【特許請求の範囲】
【請求項１】
用紙の両側端をそれぞれガイドする用紙ガイドと、用紙の先側の両角部に当接可能に配置された分離爪とを有し、前記用紙の幅に合わせて前記用紙ガイドの間隔および前記分離爪の間隔を調整可能な給紙装置において、
一方の前記用紙ガイドに隣接する位置には、他方の前記用紙ガイドとの間で幅狭の用紙をガイドする紙幅ガイドが着脱可能に設けられ、
一方の前記分離爪は、幅方向にスライド移動可能に設けられているとともに、付勢手段によってガイド幅が幅広となる方向に付勢され、
前記紙幅ガイドおよび前記分離爪には、前記紙幅ガイドを取り付けたときに互いに当接し、前記分離爪のガイド幅を幅狭となる方向に移動させる連動手段が設けられていることを特徴とする給紙装置。
【請求項２】
前記用紙ガイドは、記録紙トレーに固定配置され、前記分離爪は、給紙ブロックに設けられ、前記記録紙トレーは、前記給紙ブロックに着脱可能に設けられ、
前記連動手段は、前記紙幅ガイドに設けられ用紙挿入方向に移動する押圧部と、前記分離爪に設けられ前記押圧部による力を幅方向に変換する摺動部とを備えていることを特徴とする請求項１記載の給紙装置。
【請求項３】
前記押圧部および前記摺動部は、用紙が配置される用紙保持面の裏側に配置されていることを特徴とする請求項２記載の給紙装置。
【発明の詳細な説明】
【技術分野】
【０００１】
本発明は、例えばファクシミリ、プリンター、複写機等に用いられる用紙のサイズを変更するための給紙装置に関するものである。
【背景技術】
【０００２】
給紙装置は、同じサイズの多数の用紙を重ねて収容しておき、この用紙を１枚ずつ切り出して、下流側の印刷部等に送る装置である。この用紙を切り出す装置として、分離爪を用いた方式がある。分離爪は、ローラで用紙を送るときに、用紙の先側の両角部に当接し、または離れることによって、多数重ねられた用紙を１枚ずつ切り出すことができる。
【０００３】
この分離爪と用紙との隙間を一定にすることによって、用紙の重送等がなくなり、分離性能が向上することが知られている。このため、従来の給紙装置として、分離爪を保持するサイドプレートの上端をガイド部材により押さえて、ガタ付きを防止しているものがある（例えば、特許文献１参照）。
【０００４】
図７は、従来の給紙装置を用いたファクシミリ装置の側断面図、図８（Ａ）は、従来の給紙装置の模式平面図、（Ｂ）は同模式正面図である。図７、図８（Ａ）、（Ｂ）に示すように、従来の給紙装置は、本体部に着脱可能に設けられた記録紙トレー７０の両側に用紙の幅方向両側端をガイドする用紙ガイド７１，７２を固定配置し、本体内部に設けられ、記録紙トレー７０から本体内部に供給される用紙の先側の両角部に当接する分離爪７３，７４を有している。分離爪７３，７４は、板状の給紙ブロック７６上に設けられており、給紙ブロック７６は、裏側に配置されたばね７７によって表側に配置された搬送ローラ７８側に付勢されている。
【０００５】
例えば図８（Ａ）、（Ｂ）においては、レターサイズの用紙を供給することができる。
【０００６】
図８（Ｃ）は、従来の給紙装置に幅狭用紙を用いた場合の模式平面図、（Ｄ）は同模式正面図である。すなわち、図８（Ｃ）、（Ｄ）では、レターサイズの用紙より幅狭の用紙、例えば、Ａ４サイズの用紙を供給する場合の状態を示している。この場合、一方の用紙ガイド７１に隣接する位置に、紙幅ガイド７５を設けている。紙幅ガイド７５は、Ａ４サイズの用紙の一側端に当接して、用紙ガイド７２との間で、用紙を本体側に送るときに用紙が傾斜しないようにガイドしている。
【特許文献１】特開平１０−１９４５００号公報（段落番号００１６、図１）
【発明の開示】
【発明が解決しようとする課題】
【０００７】
しかし、特許文献１に記載した給紙装置は、分離爪が、用紙の幅方向をガイドするガイド板に一体的に設けられ、幅方向に移動可能に設けられているが、このようなガイド部材と分離爪が一体となった構造は、記録紙トレーを本体に内蔵しなければならないので、装置が大型化するという問題がある。
【０００８】
また、図８（Ｃ）、（Ｄ）に示すように、用紙幅が狭いときに一方の分離爪が用紙から外れてしまうと、用紙の分離が不十分となり、重送等の不具合が発生する。また、この分離爪を手動で調整可能に設けたとしても、位置合わせに時間がかかり、また、位置が不正確になるため、紙が分離爪から外れやすくなり、やはり重送等の不具合が発生する。
【０００９】
そこで、本発明は、装置を小型化するとともに、用紙の分離性能を向上させる給紙装置
を提供することを目的とする。
【課題を解決するための手段】
【００１０】
本発明は、給紙装置において、紙幅ガイドおよび分離爪に、紙幅ガイドを取り付けたときに互いに当接し、分離爪のガイド幅を幅狭となる方向に移動させる連動手段を設けたことを主要な特徴とする。
【発明の効果】
【００１１】
以上のように本発明の給紙装置は、紙幅ガイドおよび分離爪に、紙幅ガイドを取り付けたときに互いに当接し、分離爪のガイド幅を幅狭となる方向に移動させる連動手段を設けたことを主要な特徴とする給紙装置としたことにより、紙幅ガイドの位置に合わせて分離爪を配置し、用紙の両側端をガイドするとともに、両先端に分離爪を当接可能に配置し、用紙の分離性能を向上させることができる。
【００１２】
また、紙幅ガイドが着脱可能に設けられるので、移動して固定する方式より機構が簡単になり装置を小型化することができる。
【００１３】
また、一方の分離爪が、幅方向にスライドが移動可能に設けられているとともに、付勢手段によってガイド幅が幅広となる方向に付勢されるので、紙幅ガイドを設けないときの位置合わせも確実に行うことができる。
【発明を実施するための最良の形態】
【００１４】
本発明は、装置を小型化して、用紙の分離性能を向上させる給紙装置を提供するという目的を、紙幅ガイドおよび分離爪に、紙幅ガイドを取り付けたときに互いに当接し、分離爪のガイド幅を幅狭となる方向に移動させる連動手段を設けた給紙装置により実現した。
【００１５】
上記課題を解決するためになされた第１の発明は、用紙の両側端をガイドする用紙ガイドと、用紙の先側の両角部に当接可能に配置された分離爪とを有し、用紙の幅に合わせて上記用紙ガイドの幅および上記分離爪の間隔を調整可能な給紙装置において、一方の用紙ガイドに隣接する位置には、他方の用紙ガイドとの間で幅狭の用紙をガイドする紙幅ガイドが着脱可能に設けられ、一方の分離爪は、幅方向にスライド移動可能に設けられているとともに、付勢手段によってガイド幅が幅広となる方向に付勢され、紙幅ガイドおよび分離爪には、紙幅ガイドを取り付けたときに互いに当接し、分離爪のガイド幅を幅狭となる方向に移動させる連動手段が設けられていることを特徴とする給紙装置としたものであり、紙幅ガイドの構造を簡単にして装置を小型化でき、また、紙幅ガイドと分離爪とを連動して作動させるので、分離爪の位置決めを確実に行い、分離性能を向上させることができる。
【００１６】
上記課題を解決するためになされた第２の発明は、用紙ガイドは、記録紙トレーに固定配置され、分離爪は、給紙ブロックに設けられ、記録紙トレーは、給紙ブロックに着脱可能に設けられ、連動手段は、紙幅ガイドに設けられ、用紙挿入方向に移動する押圧部と、分離爪に設けられ、押圧部による力を幅方向に変換する摺動部とを備えていることを特徴とする給紙装置としたものであり、連動手段を押圧部と摺動部によって構成したので、紙幅ガイドおよび分離爪を直線的に移動させることができ、用紙の幅方向の両側端を平行にガイドすることができ、搬送時の用紙の傾きを確実に防止することができる。
【００１７】
上記課題を解決するためになされた第３の発明は、上記押圧部および上記摺動部は、用紙が配置される用紙保持面の裏側に配置されていることを特徴とする給紙装置としたものであり、押圧部と摺動部との間に異物が挟まれてしまうことを防止し、切り替え動作を確実に行うことができる。
【実施例１】
【００１８】
以下、本発明の実施例について、各図に基づいて説明する。
【００１９】
図１は本発明の一実施例の給紙装置を用いたファクシミリ装置の斜視図、図２は同給紙装置の分解斜視図、図３は同給紙装置の斜視図、図４は同給紙装置の紙幅ガイドの取り付け状態を示す斜視図、図５は同給紙装置の背部の状態を示す斜視図である。
【００２０】
図１〜図５に示すように、給紙装置１は、用紙の両側端をそれぞれガイドする用紙ガイド２，３と、用紙の先側の両角部に当接可能に配置された分離爪４，５とを有し、用紙の幅に合わせて用紙ガイド２，３の間隔および分離爪４，５の間隔を調整可能な装置で、例えば、ファクシミリ装置６の後部に設けられている。
【００２１】
用紙ガイド２，３は、ファクシミリ装置６に着脱可能に設けられた記録紙トレー７の表側に平行に固定配置されている。用紙ガイド２，３の間の距離は、レターサイズの用紙をガイド可能な幅に設定されている。
【００２２】
給紙ブロックは、給紙板８およびカバー２１により構成され、分離爪４，５は、給紙板８に設けられている。分離爪４，５は、回動機構を有しており、用紙の先側角部に当接する部分と、給紙板８との間の距離を変更することができる。また、分離爪４，５は、用紙の先側角部に当接する部分が、給紙板８から離反する方向にばね等の手段（図示せず）により付勢されている。
【００２３】
分離爪４は、スライドホルダ１１および回動爪１２とを有している。
【００２４】
給紙板８の裏側を覆って固定されるカバー２１の幅方向には、スリット９，１０が２列に並んで貫通して形成されている。分離爪４のスライドホルダ１１は、スリット９，１０に嵌入する突起部を有しており、用紙の幅方向にスライド移動することができる。回動爪１２は、スライドホルダ１１に回動可能に固定されている。
【００２５】
スライドホルダ１１には、ねじりばね１３の一端が設けられている。ねじりばね１３の他端は、ファクシミリ装置６の本体部に固定されている。ねじりばね１３によって、分離爪４は、分離爪５から離れる方向、すなわちガイド幅が幅広となる方向に付勢されている。
【００２６】
記録紙トレー７は、給紙板８の２カ所に掛合して固定することができる。このとき、記録紙トレー７と給紙板８とは略同一平面上に配置されており、記録紙トレー７から給紙板８に、用紙に折り目をつけずに供給することができる。なお、記録紙トレーと給紙板とを一体的に形成したものを使用することも可能である。
【００２７】
記録紙トレー７の一方の用紙ガイド２に隣接する位置には、棒状の溝１４と貫通孔１５が形成されている。この溝１４および貫通孔１５には、他方の用紙ガイド３との間で幅狭の用紙をガイドする棒状の紙幅ガイド１６が着脱可能に設けられている。紙幅ガイド１６は、例えば、レターサイズの用紙より幅が狭いＡ４サイズの用紙を使用するときに取り付ける。
【００２８】
紙幅ガイド１６は、溝１４に嵌入してＡ４サイズの用紙の側端に当接するガイド部１７と、貫通孔１５に挿入されて記録紙トレー７の用紙が配置される用紙保持面の裏側に突出して配置され、さらに給紙板８の裏側に延びて分離爪４を押圧する棒状の押圧部１８とを有している。
【００２９】
分離爪４のスライドホルダ１１の裏側には、押圧部１８に当接する三角板状の摺動部１９が設けられている。摺動部１９は、押圧部１８によって、紙送り方向に押圧される力を、紙幅方向に変換することができる。
【００３０】
紙幅ガイド１６に設けられた押圧部１８と分離爪４に設けられた摺動部１９とによって、紙幅ガイド１６を取り付けたときに互いに当接し、分離爪４のガイド幅を幅狭となる方向に移動させる連動手段が構成されている。
【００３１】
図６（Ａ）は、給紙装置の使用状態を示す模式平面図、（Ｂ）は同模式背面図、（Ｃ）は同模式正面図、（Ｄ）は、紙幅ガイドの使用状態を示す模式正面図、（Ｅ）は紙幅ガイドを用いたときの給紙装置の使用状態を示す模式平面図、（Ｆ）は同模式背面図、（Ｇ）は同模式正面図である。
【００３２】
図６（Ａ）〜（Ｃ）に示すように、レターサイズの用紙を使用するときには、紙幅ガイドは使用しない。レターサイズの用紙は、用紙ガイド２，３の間に配置される。このとき、分離爪４は、ねじりばね１３によって分離爪５から離れる方向に付勢されており、分離爪４，５の間隔がレターサイズの用紙の幅より狭くなることはない。
【００３３】
図６（Ｄ）〜（Ｇ）に示すように、Ａ４サイズの用紙を使用するときには、紙幅ガイド１６を使用する。紙幅ガイド１６を記録紙トレー７に固定すると、紙送り方向に移動する押圧部１８によって摺動部１９が紙幅方向に押圧され、摺動部１９が分離爪５に近接する方向に移動する。なお、カバー２１（図２参照）の裏側には、押圧部のガイド用の突起２０が形成されている。突起２０は、摺動部１９との間に押圧部１８を挟み込むように配置されている。
【００３４】
突起２０は、押圧部１８を挟んで、摺動部１９とは逆側に傾斜する傾斜面を有しており、押圧部１８を挿入するときの抵抗を低減させている。
【００３５】
また、押圧部１８を移動させたときに、押圧部１８が突起２０と摺動部１９に交互に当接するように突起２０を配置しているので、紙幅ガイド１６の取り付け時に必要な力が分散され、無理な力を加えなくても一定の力で押圧部１８を移動させることができ、操作性がよくなる。
【００３６】
このようにして、給紙装置１を使用することができる。
【産業上の利用可能性】
【００３７】
本発明に係る給紙装置は、用紙の両側端をガイドするとともに、両先端に分離爪を当接可能に配置し、用紙の分離性能を向上させることができ、例えばファクシミリ、プリンター、複写機等に用いられる用紙のサイズを変更するための給紙装置として有用である。
【図面の簡単な説明】
【００３８】
【図１】本発明の一実施例の給紙装置を用いたファクシミリ装置の斜視図
【図２】同給紙装置の分解斜視図
【図３】同給紙装置の斜視図
【図４】同給紙装置の紙幅ガイドの取り付け状態を示す斜視図
【図５】同給紙装置の背部の状態を示す斜視図
【図６】（Ａ）給紙装置の使用状態を示す模式平面図（Ｂ）同模式背面図（Ｃ）同模式正面図（Ｄ）紙幅ガイドの使用状態を示す模式正面図（Ｅ）紙幅ガイドを用いたときの給紙装置の使用状態を示す模式平面図（Ｆ）同模式背面図（Ｇ）同模式正面図
【図７】従来の給紙装置を用いたファクシミリ装置の側断面図
【図８】（Ａ）従来の給紙装置の模式平面図（Ｂ）同模式正面図（Ｃ）従来の給紙装置に幅狭用紙を用いた場合の模式平面図（Ｄ）同模式正面図
【符号の説明】
【００３９】
１    給紙装置
２，３    用紙ガイド
４，５    分離爪
６    ファクシミリ装置
７    記録紙トレー
８    給紙板
９，１０    スリット
１１    スライドホルダ
１２    回動爪
１３    ねじりばね
１４    溝
１５    貫通孔
１６    紙幅ガイド
１７    ガイド部
１８    押圧部
１９    摺動部
２０    突起
２１    カバー
【図１】
2005047687.tif 000003
【図２】
2005047687.tif 000004
【図３】
2005047687.tif 000005
【図４】
2005047687.tif 000006
【図５】
2005047687.tif 000007
【図６】
2005047687.tif 000008
【図７】
2005047687.tif 000009
【図８】
2005047687.tif 000010